(57)【特許請求の範囲】
【請求項１】
多数のシリンダ孔(2)を並設してなるシリンダ(1)と、前記シリンダ(1)上に着脱自在に設けられ前記シリンダ孔(2)に対応して形成されたガイド孔(4)を有するガイドブロック(5)と、前記各ガイド孔(4)に挿入されたピストン(7)をピストンバー(8)によって一体に有するピストン体(10)とを備え、前記各ピストン(7)をシリンダ孔(2)内に挿入することにより前記シリンダ孔(2)内の液体を下方へ注出するようにした多連ピストンポンプのシリンダ構造において、前記ガイドブロック(5)の各ガイド孔(4)に設けられたＯリング(12)を有し、前記各ピストン(7)は前記各Ｏリング(12)に接して前記各シリンダ孔(2)に挿入され、前記ガイドブロック(5)をシリンダ(1)から除去することにより前記Ｏリング(12)は前記ガイドブロック(5)と共に前記シリンダ(1)から離脱できる構成としたことを特徴とする多連ピストンポンプのシリンダ構造。
【請求項２】
前記各ガイド孔(4)の下端に形成された輪状凹部内(20)に、前記Ｏリング(12)が設けられていることを特徴とする請求項１記載の多連ピストンポンプのシリンダ構造。
【請求項３】
前記ガイドブロック(5)とシリンダ(1)との間には、シート状のガスケット(21)が設けられていることを特徴とする請求項１又は２記載の多連ピストンポンプのシリンダ構造。
【発明の詳細な説明】
【０００１】
【発明の属する技術分野】
本発明は、多連ピストンポンプのシリンダ構造に関し、特に、シリンダに着脱自在に設けられたガイドブロックにＯリングを装着することにより、ガイドブロックを離脱するのみで、Ｏリングの交換を行うことができるようにするための新規な改良に関する。
【０００２】
【従来の技術】
従来、用いられていたこの種の多連ピストンポンプのシリンダ構造としては、図３から図５で示される構成が採用されていた。
すなわち、図３から図５において符号１で示されるものは、多数のシリンダ孔２が横方向に並設されたシリンダであり、このシリンダ１の下部には前記各シリンダ孔２に対応して液体を射出するための射出部３が設けられている。
【０００３】
前記シリンダ１の上部には、各シリンダ孔２に対応して形成されたガイド孔４を有するガイドブロック５が取付ねじ６によって着脱自在に設けられており、この各ガイド孔４内に上方から挿入された長手棒状のピストン７は、その上端がバー状のピストンバー８によって結合されている。従って、この各ピストン７とピストンバー８によってピストン体１０を構成している。
【０００４】
前記ガイドブロック５のガイド孔４内には、筒状ガイドブッシュ１１が嵌入されており、前記シリンダ孔２の上部にはＯリング１２が内設され、このＯリング１２に対して前記ピストン７が摺接するように構成されている。
従って、前述の図３の状態において、ピストンバー８を押下げると、各ピストン７が同時にシリンダ孔２内に挿入され、各シリンダ孔２内の液体が各射出部３から同時に射出される。
【０００５】
【発明が解決しようとする課題】
従来の多連ピストンポンプのシリンダ構造は、以上のように構成されているため、次のような課題が存在していた。
すなわち、ピストンポンプの気密性を保持するために、Ｏリングにグリスを付加して用いているが、このＯリングとグリスは劣化するために所定の寿命があり、一定のピストン摺動距離又は時間により交換する必要がある。
この場合、Ｏリングがシリンダ側にあるため、ガイドブロックをシリンダから離脱した後に、シリンダも本体から取外さなければならず、Ｏリングの交換には多くの時間と労力を必要としていた。
【０００６】
本発明は、以上のような課題を解決するためになされたもので、特に、シリンダに着脱自在に設けられたガイドブロックにＯリングを装着することにより、ガイドブロックを離脱するのみで、Ｏリングの交換を行うことができるようにした多連ピストンポンプのシリンダ構造を提供することを目的とする。
【０００７】
【課題を解決するための手段】
本発明による多連ピストンポンプのシリンダ構造は、多数のシリンダ孔を並設してなるシリンダと、前記シリンダ上に着脱自在に設けられ前記シリンダ孔に対応して形成されたガイド孔を有するガイドブロックと、前記各ガイド孔に挿入されたピストンをピストンバーによって一体に有するピストン体とを備え、前記各ピストンをシリンダ孔内に挿入することにより前記シリンダ孔内の液体を下方へ注出するようにした多連ピストンポンプのシリンダ構造において、前記ガイドブロックの各ガイド孔に設けられたＯリングを有し、前記各ピストンは前記各Ｏリングに接して前記各シリンダ孔に挿入され、前記ガイドブロックをシリンダから除去することにより前記Ｏリングは前記ガイドブロックと共に前記シリンダから離脱できる構成であり、また、前記各ガイド孔の下端に形成された輪状凹部内に、前記Ｏリングが設けられている構成であり、また、前記ガイドブロックとシリンダとの間には、シート状のガスケットが設けられている構成である。
【０００８】
【発明の実施の形態】
以下、図面と共に本発明による多連ピストンポンプのシリンダ構造の好適な実施の形態について説明する。なお、従来例と同一又は同等部分には同一符号を付して説明する。
図１及び図２において符号１で示されるものは、多数のシリンダ孔２が横方向に並設されたシリンダであり、このシリンダ１の下部には前記各シリンダ孔２に対応して液体を射出するための射出部３が設けられている。
【０００９】
前記シリンダ１の上部には、各シリンダ孔２に対応して形成されたガイド孔４を有するガイドブロック５が取付ねじ６によって着脱自在に設けられており、この各ガイド孔４内に上方から挿入された長手棒状のピストン７は、その上端がバー状のピストンバー８によって結合されている。従って、この各ピストン７とピストンバー８によってピストン体１０を構成している。
【００１０】
前記ガイドブロック５のガイド孔４内には、筒状ガイドブッシュ１１が嵌入されており、ガイド孔４の下部にはＯリング１２が内設され、このＯリング１２に対して前記ピストン７が摺接するように構成されている。
また、前記Ｏリング１２は、前記ガイド孔４の下端に形成された輪状凹部２０内に位置しており、実際には、この輪状凹部２０内に、Ｏリング１２とグリス（図示せず）が設けられている。
従って、前述の図３の状態において、ピストンバー８を押下げると、各ピストン７が同時にシリンダ孔２内に挿入され、各シリンダ孔２内の液体が各射出部３から同時に下方へ射出される。
【００１１】
また、前記ガイドブロック５とシリンダ１とは、取付ねじ６によって固定されているため、ガイドブロック５とシリンダ１との密合状態は保持されているが、図２に示されるように、シート状のガスケット２１を介挿することによって、より一層確実な密合状態を達成することができるように構成されている。
【００１２】
また、本発明によるシリンダ構造を所定時間使用した後に、このＯリング１２を交換する場合、取付ねじ６を除去してガイドブロック５をシリンダ１から離脱させることにより、このガイドブロック５の下面にはＯリング１２が直接露出し、簡単にＯリング１２を輪状凹部２０から取り出して交換することができる。
この場合、シリンダ１は本体から取り外すことなくＯリング１２の交換ができる。
【００１３】
【発明の効果】
本発明による多連ピストンポンプのシリンダ構造は、以上のように構成されているため、次のような効果を得ることができる。
すなわち、Ｏリングがガイドブロック側に設けられているため、ガイドブロックを取り外すのみでＯリングとグリスの交換を行うことができ、この交換作業が大幅に容易化され、装置の稼働率を従来よりも大幅に向上させることが可能となった。
【図面の簡単な説明】
【図１】本発明による多連ピストンポンプのシリンダ構造を示す正面図である。
【図２】図１の要部を示す拡大断面図である。
【図３】従来構成を示す正面図である。
【図４】図３の要部を示す断面図である。
【図５】図４のＡ部を示す拡大断面図である。
【符号の説明】
１    シリンダ
２    シリンダ孔
４    ガイド孔
５    ガイドブロック
７    ピストン
８    ピストンバー
１０    ピストン体
１２    Ｏリング
２０    輪状凹部
２１    ガスケット
【図１】
0004701340.tif 000002
【図２】
0004701340.tif 000003
【図３】
0004701340.tif 000004
【図４】
0004701340.tif 000005
【図５】
0004701340.tif 000006